(57)【要約】      （修正有）【課題】乾燥機のダクトにリントが詰まるのを防止するダクトクリーンフィルターを提供する。【解決手段】乾燥機のダクトを上ダクト２１０と下ダクト２２０に分け、上ダクトと下ダクトの間に介在させるダクトクリーンフィルターであって、上下に貫通してダクトと同じ外径であり、正面に空けた開口面を塞ぐために開閉自在の扉３２０が取り付けられた中空の管体３１０と、管体の上部及び下部に上ダクト及び下ダクトの内壁へ嵌合可能に連設した接続部と、管体と接続部との通気路を囲むように管体内に突出させた取付部４００と、取付部に装着することで、ダクト内を流れてくるリントを捕集する通気性のあるフィルター４１０と、を有する。【選択図】図２
0003214604.tif 000002
【実用新案登録請求の範囲】
【請求項１】
乾燥機のダクトを上ダクトと下ダクトに分け、前記上ダクトと前記下ダクトの間に介在させるダクトクリーンフィルターであって、
上下に貫通して前記ダクトと同じ外径であり、正面に空けた開口面を塞ぐために開閉自在の扉が取り付けられた中空の管体と、
前記管体の上部及び下部に前記上ダクト及び前記下ダクトの内壁へ嵌合可能に連設した接続部と、
前記管体と前記接続部との通気路を囲むように前記管体内に突出させた取付部と、
前記取付部に装着することで、前記ダクト内を流れてくるリントを捕集する通気性のあるフィルターと、を有する、
ことを特徴とするダクトクリーンフィルター。
【考案の詳細な説明】
【技術分野】
【０００１】
本考案は、乾燥機のダクトにリントが詰まるのを防止するダクトクリーンフィルターに関する。
【背景技術】
【０００２】
衣類等の洗濯物を乾かすための乾燥機は、回転ドラム等の本体内部に収容された洗濯物を撹拌しながら加熱した空気を送り込み、ダクトを介して湿気を含んだ空気を屋外に排出している。特許文献１に示すように、埃等が下流側の排気経路部に集積しないようにした衣類乾燥機のフィルター装置の発明も開示されている。
【先行技術文献】
【特許文献】
【０００３】
【特許文献１】特許第３０６２８６９号公報
【考案の概要】
【考案が解決しようとする課題】
【０００４】
しかしながら、従来の乾燥機においては、本体とダクトの間に設けたフィルターを通過したリントが、屋外への排気口に設けたベントキャップに詰まることで、排気効率が悪化して乾燥時間が延びる事態が発生している。排気口は、高い位置に設けられていることが多いので、定期的に清掃するのも手間が掛かる。
【０００５】
そこで、本考案は、乾燥機のダクトにリントが詰まるのを防止するダクトクリーンフィルターを提供することを目的とする。
【課題を解決するための手段】
【０００６】
上記の課題を解決するために、本考案であるダクトクリーンフィルターは、乾燥機のダクトを上ダクトと下ダクトに分け、前記上ダクトと前記下ダクトの間に介在させるダクトクリーンフィルターであって、上下に貫通して前記ダクトと同じ外径であり、正面に空けた開口面を塞ぐために開閉自在の扉が取り付けられた中空の管体と、前記管体の上部及び下部に前記上ダクト及び前記下ダクトの内壁へ嵌合可能に連設した接続部と、前記管体と前記接続部との通気路を囲むように前記管体内に突出させた取付部と、前記取付部に装着することで、前記ダクト内を流れてくるリントを捕集する通気性のあるフィルターと、を有する、ことを特徴とする。
【考案の効果】
【０００７】
本考案によれば、乾燥機のダクトにリントが詰まるのを防止することができる。本体とダクトの間の一次フィルターに加え、ダクト中の二次フィルターでリントを取り除くので、ベントキャップが詰まったり、ダクト内に埃が付着したりするのを抑制することができる。それにより、排気効率の悪化や乾燥時間の遅延も防止することができる。また、二次フィルターは、本体近くの低い位置に設けられるので、定期的な清掃の労力も軽減される。
【図面の簡単な説明】
【０００８】
【図１】本考案であるダクトクリーンフィルターを備えた乾燥機の概観を示す斜視図である。
【図２】本考案であるダクトクリーンフィルターを取り付けたダクトの概観を示す斜視図である。
【図３】本考案であるダクトクリーンフィルターを示す斜視図である。
【図４】本考案であるダクトクリーンフィルターを示す平面図及び正面図である。
【図５】本考案であるダクトクリーンフィルターの取付部を示す正面図である。
【考案を実施するための形態】
【０００９】
以下に、本考案の実施形態について図面を参照して詳細に説明する。なお、同一機能を有するものは同一符号を付け、その繰り返しの説明は省略する場合がある。
【実施例１】
【００１０】
まず、本考案であるダクトクリーンフィルターを備えた乾燥機について説明する。図１は、ダクトクリーンフィルターを備えた乾燥機の概観を示す斜視図である。図２は、ダクトクリーンフィルターを取り付けたダクトの概観を示す斜視図である。
【００１１】
図１に示すように、乾燥機１００は、投入された洗濯物を収容するための本体１１０、及び洗濯物を乾燥させるために本体１１０に送り込まれた空気を本体１１０から屋外に排出するためのダクト２００等を有する。なお、乾燥機１００には、洗濯機に乾燥機能を持たせたものも含まれる。
【００１２】
ダクト２００は、内部に空気等が通過する中空の管であり、本体１１０から屋外への排気口に至る。すなわち、本体１１０との付け根から先端の排気口までが通気路となる。なお、本体１１０とダクト２００の間には一次フィルターが設けられ、洗濯物から出た糸くず等のリントがダクト２００に流出するのを抑制する。また、ダクト２００の排気口にはベントキャップが取り付けられ、風雨や虫などの侵入を防止する。
【００１３】
ダクト２００の途中にはダクトクリーンフィルター３００が取り付けられる。ダクトクリーンフィルター３００は、ダクト２００の途中にダクト２００の一部として設置されるが、軽量であるため、ダクトクリーンフィルター３００自体を支えるための余計な枠などを設ける必要はない。
【００１４】
図２に示すように、ダクト２００の途中をダクトクリーンフィルター３００に入れ替えるため、ダクトクリーンフィルター３００を入れるスペースを確保した上で上ダクト２１０と下ダクト２２０に分ける。ダクトクリーンフィルター３００を入れる位置は任意であるが、メンテナンスしやすい位置が好ましい。
【００１５】
ダクトクリーンフィルター３００は、上ダクト２１０と下ダクト２２０の間に介在させる二次フィルターである。ダクトクリーンフィルター３００で一次フィルターをすり抜けたリントや埃を捕集することで、ダクト２００やベントキャップが詰まるのを防止する。
【００１６】
ダクトクリーンフィルター３００は、ダクト２００と同じ外径の中空の管体３１０を用い、ダクト２００の一部として邪魔にならずに取り付けられる。管体３１０は、上下に貫通しており、本体１１０から排出された空気が通過する。
【００１７】
管体３１０の正面側は開口しており、正面に空けられた開口面を塞ぐために開閉自在に扉３２０が取り付けられる。扉３２０は、例えば、蝶番３３０により回動可能に取り付けられ、環状の留金具３４０ａにフック状の留金具３４０ｂを掛けることで閉じられれば良い。
【００１８】
管体３１０には、通気路を絞った上でその通気路を囲むように管体３１０の内部に向かって突出させた取付部４００に、通気性のあるフィルター４１０を取り付ける。フィルター４１０としては、例えば、細かい網目を有する袋状のリントバッグなどを被せれば良い。取付部４００には、フィルター４１０を下向きに被せてバンド４２０で留めれば良い。取付部４００にフィルター４１０を装着することで、ダクト２００内を流れてくるリントや埃を捕集する。
【００１９】
次に、本考案であるダクトクリーンフィルターの構造について説明する。図３は、ダクトクリーンフィルターを示す斜視図である。図４は、ダクトクリーンフィルターを示す（ａ）平面図及び（ｂ）正面図である。図５は、ダクトクリーンフィルターの取付部を示す正面図である。
【００２０】
図３に示すように、ダクトクリーンフィルター３００は、管体３１０、扉３２０、上接続部３５０及び下接続部３６０などを有する。なお、管体３１０の上面に上接続部３５０が連設され、管体３１０の下面に下接続部３６０が連設される。扉３２０は、管体３１０の周面に合わせて湾曲させ、管体３１０の開口面を塞げば良い。
【００２１】
管体３１０と上接続部３５０及び下接続部３６０との間には通気路が確保される。上接続部３５０は、管体３１０よりも径が絞られた管状であり、上ダクト２１０の内壁に嵌め込まれる。下接続部３６０も同様に、管体３１０よりも径が絞られた管状であり、下ダクト２２０の内壁に嵌め込まれる。
【００２２】
図４に示すように、取付部４００は、上接続部３５０又は下接続部３６０を、そのまま管体３１０の内部へ突出させたものでも良い。取付部４００は、管体３１０の上部と下部に設けて良く、例えば、下部にはフィルター４１０を被せ、上部には金網３７０などを配しても良い。
【００２３】
図５に示すように、取付部４００へのフィルター４１０の取付けは、取付部４００の周りに環状のバンド４２０を配しておき、取付部４００とバンド４２０の間にフィルター４１０を挟んで、バンド４２０の留金具４４０を締めることで固定すれば良い。また、リング状のフィルター止め４３０を用いても良い。
【００２４】
メンテナンスする際は、扉３２０を開き、フィルター４１０内にリントや埃が溜まっていたら、フィルター４１０を交換すれば良い。バンド４２０の留金具４４０を外せば、フィルター４１０は容易に着脱可能である。
【００２５】
このように、乾燥機１００のダクト２００にリントが詰まるのを防止することができる。本体１１０とダクト２００の間の一次フィルターに加え、ダクト２００中の二次フィルターでリントを取り除くので、ベントキャップが詰まったり、ダクト２００内に埃が付着したりするのを抑制することができる。それにより、排気効率の悪化や乾燥時間の遅延も防止することができる。また、二次フィルターは、本体１１０近くの低い位置に設けられるので、定期的な清掃の労力も軽減される。
【００２６】
以上、本考案の実施例を述べたが、これらに限定されるものではない。
【符号の説明】
【００２７】
１００：乾燥機
１１０：本体
２００：ダクト
２１０：上ダクト
２２０：下ダクト
３００：ダクトクリーンフィルター
３１０：管体
３２０：扉
３３０：蝶番
３４０：留金具
３５０：上接続部
３６０：下接続部
３７０：金網
４００：取付部
４１０：フィルター
４２０：バンド
４３０：フィルター止め
４４０：留金具
【図１】
0003214604.tif 000003
【図２】
0003214604.tif 000004
【図３】
0003214604.tif 000005
【図４】
0003214604.tif 000006
【図５】
0003214604.tif 000007